(57)【特許請求の範囲】
【請求項１】
権利発生入賞装置への打球の入賞に基づいて権利発生遊技状態とし、その権利発生遊技状態中に打球が始動入賞口へ入賞する毎に変動入賞装置の扉板を所定期間開放駆動し、前記権利発生遊技状態中に前記権利発生入賞装置へ再度打球が入賞すると前記権利発生遊技状態が消滅する弾球遊技機において、
前記権利発生入賞装置は、作動口への打球の入賞により打球が入賞し難い状態と打球が入賞し易い状態とに変化可能な電動役物を備え、
前記作動口は、前記変動入賞装置に設けられるとともに前記扉板の直下に配置された通過ゲートとして構成され、その扉板が閉じた状態で打球の入賞を可能とし、扉板が開放した状態では前記通過ゲートへ導く経路が塞がれることにより打球の入賞を不能としたことを特徴とする弾球遊技機。
【請求項２】
前記権利発生入賞装置を前記変動入賞装置と遊技盤上で分離して配置したことを特徴とする請求項１記載の弾球遊技機。
【発明の詳細な説明】
【０００１】
【発明の属する技術分野】
本発明は、パチンコ機等の弾球遊技機に関するものである。
【０００２】
【従来の技術】
従来、権利発生入賞装置への打球の入賞に基づいて権利発生遊技状態とし、その権利発生遊技状態中に打球が始動入賞口へ入賞する毎に変動入賞装置の扉板を所定期間開放駆動し、前記権利発生遊技状態中に、前記始動入賞口へ規定数の打球が入賞したこと又は前記権利発生入賞装置へ再度打球が入賞したことに基づいて前記権利発生遊技状態が消滅するように構成されたパチンコ機が多数市場に提供されていた。このようなパチンコ機においては、扉板の開放回数が最高規定数まで許容されるが、扉板が開放している状態で始動入賞口に入賞した打球の数も前記規定数として計数するので、始動入賞口への打球の入賞数よりも扉板の開放回数の方が少なくなることがあり、その少ない状態で始動入賞口への打球の入賞数が規定数に到達した場合には、権利発生遊技状態が消滅して、遊技者に不満感を与えるという問題があった。このような問題を解決するために、本出願人は、先に特願昭６０−６２９２８号において、扉板が開放している状態においては、打球が始動入賞口へ入賞しないようにした発明を提案した。
【０００３】
【発明が解決しようとする課題】
ところが、上記した発明においては、権利発生入賞装置への打球の入賞率が権利発生遊技状態となった場合でも通常の遊技状態と全く変らないので、扉板の開放回数が規定数に到達しない早期の段階で権利発生遊技状態が消滅するおそれがあり、依然として遊技者の不満感を解消することができないという問題があった。
【０００４】
本発明は、上記した問題点に鑑みなされたもので、その目的とするところは、権利発生遊技状態において権利発生入賞装置への打球の入賞率を低くし、もって扉板の開放回数をより規定数に近づけることが可能なパチンコ機等の弾球遊技機を提供することにある。
【０００５】
【課題を解決するための手段】
上記した目的を達成するために、本発明においては、権利発生入賞装置への打球の入賞に基づいて権利発生遊技状態とし、その権利発生遊技状態中に打球が始動入賞口へ入賞する毎に変動入賞装置の扉板を所定期間開放駆動し、前記権利発生遊技状態中に前記権利発生入賞装置へ再度打球が入賞すると前記権利発生遊技状態が消滅する弾球遊技機において、前記権利発生入賞装置は、作動口への打球の入賞により打球が入賞し難い状態と打球が入賞し易い状態とに変化可能な電動役物を備え、前記作動口は、前記変動入賞装置に設けられるとともに前記扉板の直下に配置された通過ゲートとして構成され、その扉板が閉じた状態で打球の入賞を可能とし、扉板が開放した状態では前記通過ゲートへ導く経路が塞がれることにより打球の入賞を不能としたことを特徴とするものである。ここで、前記権利発生入賞装置は前記変動入賞装置と遊技盤上で分離して配置することができる。
【０００６】
【作用】
通常の遊技状態において、打球が作動口に入賞すると電動役物が打球が入賞し易い状態となる。そして、打球が電動役物に導かれて権利発生入賞装置内に入賞すると、それに基づいて権利発生遊技状態となる。そして、その権利発生遊技状態中に打球が始動入賞口に入賞すると、扉板が所定期間開放する。扉板が開放すると打球が作動口に入賞できないので、扉板の開放中においては、権利発生入賞装置へ再度打球が入賞して権利が消滅してしまうという心配をすることなく安心して遊技を行うことができる。つまり、本発明においては、従来のように扉板の開放中であっても打球が権利発生入賞装置に入賞して権利発生遊技状態を消滅させるものに比較して、少なくとも扉板の開放期間中に権利発生入賞装置に打球の入賞がなくなるので、権利発生遊技状態を消滅させる可能性が低くなり、その分、扉板の開放回数を規定数に近づけることが可能となる。そして、かかる理由より、権利消滅の心配なしに権利発生入賞装置と変動入賞装置との位置関係を自由に設定することができる。しかも、扉板との位置関係によって作動口への入賞を不能としていることから、特別な駆動機構を用意しなくて済み、構造の簡素化を図ることができる。また、作動口を変動入賞装置と一体に設けているため、遊技盤への取付作業も容易である。さらに、作動口を通過ゲート構成としたので、変動入賞装置に作動口を設けているにもかかわらず、変動入賞装置全体としての大きさを低減し得るばかりか、入球される口が近接位置に設けられる結果となるにもかかわらず作動口についての内部球通路を設ける必要がなくなって球処理機構が密集するおそれを回避し得る。
【０００７】
【実施例】
以下、図面を参照して本発明の実施例について説明する。
【０００８】
まず、実施例に係るパチンコ機について図１を参照して説明する。図１は、パチンコ機の正面図である。図において、パチンコ機１の額縁状に形成された前面枠２の開口には、金枠３が周設されている。そして、その金枠３には、ガラスを有するガラス扉枠４と前面扉板５とが開閉自在に設けられている。ガラス扉枠４の後方には、前記前面枠２の裏面に固定される遊技盤固定枠（図示しない）に着脱自在に取り付けられる遊技盤９が配置されている。
【０００９】
前記前面扉板５の表面には、入賞玉の発生により図示しない賞品球排出装置から排出された賞品球を優先的に貯留し、且つ打球を発射位置に誘導する上皿６が取り付けられている。
【００１０】
前記前面枠２の下方には、発射装置の一部を構成する操作ハンドル８が突設固定され、該操作ハンドル８の側方には、前記上皿６に貯留し切れなかった賞品球を貯留する下皿７が取り付けられている。
【００１１】
前記遊技盤９の前面には、打球を誘導する誘導レール１０がほぼ円状に植設され、該誘導レール１０によって囲まれた範囲が遊技領域１１を構成している。遊技領域１１のほぼ中央には、本実施例の要部の１つを構成する権利発生入賞装置１２が設けられている。この権利発生入賞装置１２は、その上部に一対の開閉翼片１４を有する電動役物１３を備えており、一対の開閉翼片１４が遊技盤９の裏面に配置されるソレノイド１５によって開閉制御されるようになっている。しかして、図示の実施例では、ソレノイド１５がＯＦＦの状態では、開閉翼片１４が起立してその先端が閉じられており、遊技領域１１を落下する打球が入賞しないようになっており、ソレノイド１５がＯＮの状態では、開閉翼片１４が開放して遊技領域１１を落下する打球が入賞することができるようになっている。また、開閉翼片１４に受け止められて権利発生入賞装置１２に入賞した打球は、その内部に設けられる検出スイッチ１６によって検出される。検出スイッチ１６の検出信号は、通常遊技モードにおいて権利発生信号として扱われ、権利発生遊技モードにおいて権利消滅信号として扱われる。また、本実施例においては、前記ソレノイド１５は、後述する作動スイッチ４５がＯＮしたことに基づいて一定時間（例えば、６秒）励磁されるようになっている。
【００１２】
なお、図示の実施例では、開閉翼片１４の開放によってのみ打球が権利発生入賞装置１２に入賞し、その入賞した打球がすべて検出スイッチ１６によって検出されるものを示したが、権利発生入賞装置１２の内部を複数に区画し、その区画された領域の１つに検出スイッチ１６を設けるようにしてもよいし、あるいは検出スイッチ１６がＯＮしたときに直ちに権利発生又は権利消滅とするのではなく、例えば、変動表示器を変動させて、その表示結果によって権利発生又は権利消滅を判定するようにしてもよい。また、本実施例においては、後述する作動スイッチ４５がＯＮしたことに基づいて直ちにソレノイド１５をＯＮさせるようにしたが、作動スイッチ４５のＯＮによって変動表示器を変動させ、その表示結果によってソレノイド１５をＯＮさせるようにしてもよい。更に、電動役物１３の開閉翼片１４が閉じているときに全く打球が入賞しないものを示したが、極めて少ない確率で入賞するものでもよい。
【００１３】
上記した権利発生入賞装置１２の上部には、通常の入賞口１７が配置され、また、権利発生入賞装置１２の斜め左右下方にチューリップ入賞口１８ａ，１８ｂが配置されている。更に、遊技領域１１の最下方中央に入賞しなかった打球を回収するアウト口１９も設けられている。
【００１４】
更に、前記アウト口１９の上部には、本実施例のもう１つの要部を構成する変動入賞装置２０が配置されている。この変動入賞装置２０は、前記遊技盤９の表面に取付けられる取付基板２１に集約して形成されるものであり、これについて図２乃至図６を参照して説明する。図において、取付基板２１の中央部には、複数の打球が同時に通過可能な広さの大入賞口としての玉入口２２を開設し、その玉入口２２を移動部材としての扉板２３により閉塞している。扉板２３は、その下端両側に突設した軸杆２４ａ，２４ｂを玉入口２２の下側に挿入して開閉自在に装着し、さらに扉板２３の裏面側縁に突設した腕杆２５をソレノイド２６のプランジャ２７先端に係合させ、常態では、ソレノイド２６のバネ２８の付勢力により図５の実線のように扉板３を起立させるようにしている。
【００１５】
また、取付基板２１には、玉入口２２の両側位置に打球１個が通過可能な玉入口２９ａ，２９ｂを開設し、この玉入口２９ａ，２９ｂの前面を覆う状態で箱状のチャッカー３０ａ，３０ｂを固着して小入賞口としての始動入賞口３１ａ，３１ｂを形成すると共に、取付基板２１の裏面に玉入口２２及び両玉入口２９ａ，２９ｂを囲う案内箱３２が一体に固着されている。玉入口２９ａ，２９ｂに対応する案内箱３２は、その上面にて玉入口２９ａ，２９ｂに入賞する打球を遊技盤９の裏面に導くと共に、案内箱３２内に設置した近接型の始動スイッチ３３ａ，３３ｂ（図６参照；ただし３３ａは図示せず）によりその入賞を検出し、また、玉入口２２に対応する案内箱３２の底壁３２ａは、樋状に形成され、玉入口２２に入賞した打球を玉出口３４に導く。
【００１６】
また、前記チャッカー３０ａ，３０ｂの内部には、上端を山型に形成した移動部材としての弁部材３５ａ，３５ｂを上下摺動自在に装着し、該弁部材３５ａ，３５ｂをチャッカー３０ａ，３０ｂの内側壁に一端を係止したバネ３６ａ，３６ｂにより常時下向きに付勢している。そして、図４及び図６に示すようにほぼ逆［Ｌ」字形状の屈曲部を案内箱３２に支持した軸３７ａ，３７ｂ（３７ａは、図示せず；以下、４３ａまで図示せず）に軸支される押上杆３８ａ，３８ｂの水平腕３９ａ，３９ｂを弁部材３５ａ，３５ｂの下面に臨ませている。また、押上杆３８ａ，３８ｂの垂直腕４０ａ，４０ｂには、長孔４１ａ，４１ｂが穿設されており、前記扉板２３の軸杆２４ａ，２４ｂ先端に固着した係合腕４２ａ，４２ｂの係合ピン４３ａ，４３ｂを押上杆３８ａ，３８ｂの長孔４１ａ，４１ｂに挿通している。なお、上記した弁部材３５ａ，３５ｂ上端の形状は、左右対称の山型形状に限定されるものではなく、例えば外側あるいは内側の位置方向にのみ傾斜する斜面であってもよいし、チャッカー３０ａ，３０ｂ内に出没するストッパー片であってもよい。この場合、ストッパー片が突出した状態で打球を後方に誘導して始動スイッチ３３ａ，３３ｂで検出するようにし、ストッパー片が退避した状態で打球を下方に通過させるようにすれば良い。
【００１７】
また、取付基板２１の中央下方には、打球が通過する作動口４４が突設されており、その作動口４４には、通過する打球を検出する作動スイッチ４５が内蔵されている。この作動口４４は、図５に示すように扉板２３が閉じた状態で上方から落下する打球を受け入れるものであるが、扉板２３が開放した状態では上方から落下する打球がすべて扉板２３に受け止められるため、打球を受入ないようになっている。また、作動口４４は、打球が通過したときに前記電動役物１３のソレノイド１５を一定時間励磁するためのものであり、権利発生遊技状態の発生・消滅に深く関与するため、パチンコ機の構成上、前記始動入賞口３１ａ，３１ｂほど簡単には、打球が入賞（通過）しないようにその上流側に配置される障害釘が植立されている。
【００１８】
上記のように構成されるパチンコ機１の作用について以下説明する。
【００１９】
通常の状態においては、変動入賞装置２０は、扉板２３がソレノイド２６のバネ２８の付勢力により起立して打球の入賞を阻止している。この時、始動入賞口３１ａ，３１ｂは、弁部材３５ａ，３５ｂがバネ３６ａ，３６ｂの付勢力により下がった位置にあり、打球がチャッカー３０ａ，３０ｂに入り弁部材３５ａ，３５ｂ上に乗ると玉入口２９ａ，２９ｂに導かれて通常の入賞玉となる。また、作動口４４の上方が扉板２３によって邪魔されることがないので、打球が通過し得るようになっている。
【００２０】
上記した状態で遊技者が弾発した打球が作動口４４を通過すると作動スイッチ４５がＯＮしてソレノイド１５を一定時間（例えば、６秒）ＯＮする。ソレノイド１５がＯＮすると電動役物１３の開閉翼片１４が開放するので打球が権利発生入賞装置１２に入賞し易くなる。しかして、打球が権利発生入賞装置１２に入賞すると、検出スイッチ１６がＯＮして権利発生遊技状態となり、これにより変動入賞装置２０を例えば１６回開放動作する権利が発生する。しかし、この状態では、未だ扉板２３が開放せず、その権利が留保されている。そして、ここで打球が始動入賞口３１ａ，３１ｂに打球が入賞すると始動スイッチ３３ａ，３３ｂがＯＮし、これによってソレノイド２６が励磁されて扉板２３が開放する。この扉板２３の開放に伴って軸杆２４ａ，２４ｂと一体の係合腕４２ａ，４２ｂが図６の鎖線のように反時計方向に回動し、係合ピン４３ａ，４３ｂを介して押上杆３８ａ，３８ｂが回動して水平腕３９ａ，３９ｂが弁部材３５ａ，３５ｂを押し上げる。これによって上昇した弁部材３５ａ，３５ｂは、玉入口２９ａ，２９ｂを閉塞し、打球の入賞を阻止すると共に、上端の山型形状によってパチンコ玉を左右に振分ける。また、扉板２３の開放に伴って作動口４４への打球通過も阻止される。扉板２３の開放動作は、所定時間（例えば、１０秒）の経過、又は所定個数（例えば、１０個）の入賞により閉じられる。そして、扉板２３が閉じると、係合腕４２ａ，４２ｂを介して押上杆３８ａ，３８ｂが図６実線の位置に復動し、弁部材３５ａ，３５ｂもバネ３６ａ，３６ｂの作用により下動して玉入口２９ａ，２９ｂを開放する。また、作動口４４にも再度打球が通過し得るようになる。しかし、作動口４４より始動入賞口３１ａ，３１ｂの方が打球の入賞率が高いため、扉板２３が閉じた状態でも打球が早く始動入賞口３１ａ，３１ｂに導かれ、再度扉板２３を開放する。
【００２１】
上記した動作は、始動入賞口３１ａ，３１ｂに予め定められた規定数（例えば、１６）の打球が入賞するまで繰り返され、規定数に到達するまで打球が権利発生入賞装置１２に誘導されて権利消滅となる確率を低く抑えることができる。
【００２２】
また、上記した実施例においては、遊技内容の主要部を構成する扉板２３と始動入賞口３１ａ，３１ｂと作動口４４とを１つの取付基板２１に集約して形成したので、それぞれの取付作業が簡略化される。もちろん、これらを別体に構成して同じ位置又は異なる位置に配置しても良い。
【００２３】
なお、上記した実施例では、始動入賞口３１ａ，３１ｂに扉板２３の開放と連動する弁部材３５ａ，３５ｂを設けたものを示したが、始動入賞口３１ａ，３１ｂの位置を作動口４４と同様に扉板２３の下方に配置しても良い。このように構成すれば、弁部材やこれを作動するリンク機構等を省略して上記実施例と同等な効果を得ることができる。また、逆に作動口４４の位置を扉板２３の上方に設け、扉板２３の開放と連動して作動口４４を閉塞する弁部材を設けてもよい。そして、これらの弁部材を電気的駆動源によって動作させてもよい。
【００２４】
また、上記実施例では、作動口４４を打球が通過入賞する通過口として示したが、入賞して賞品球を排出する入賞口として構成してよい。
【００２５】
【発明の効果】
以上説明したところから明らかなように、本発明においては、従来のように扉板の開放中であっても打球が権利発生入賞装置に入賞して権利発生遊技状態を消滅させるものに比較して、少なくとも扉板の開放期間中に権利発生入賞装置に打球を入賞させることがないので、権利発生遊技状態を消滅させる可能性が低くなり、その分、扉板の開放回数を規定数に近づけることが可能となる。また、これにより権利消滅の心配なしに権利発生入賞装置と変動入賞装置との位置関係を自由に設定することができる。しかも、扉板との位置関係によって作動口への入賞を不能としていることから、特別な駆動機構を用意しなくて済み、構造の簡素化を図ることができる。また、作動口を変動入賞装置と一体に設けているため、遊技盤への取付作業も容易である。さらに、作動口を通過ゲート構成としたので、変動入賞装置に作動口を設けているにもかかわらず、変動入賞装置全体としての大きさを低減し得るばかりか、入球される口が近接位置に設けられる結果となるにもかかわらず作動口についての内部球通路を設ける必要がなくなって球処理機構が密集するおそれを回避し得る。
【図面の簡単な説明】
【図１】実施例に係るパチンコ機の正面図。
【図２】変動入賞装置の斜視図。
【図３】変動入賞装置の正面図。
【図４】一部断面にして示す変動入賞装置の要部の拡大正面図。
【図５】図４のＸ−Ｘ線断面図。
【図６】図４のＹ−Ｙ線断面図。
【符号の説明】
１…パチンコ機、１２…権利発生入賞装置、１３…電動役物、１６…検出スイッチ、２０…変動入賞装置、２１…取付基板、２２…玉入口（大入賞口）、２３…扉板（移動部材）、３１ａ，３１ｂ…始動入賞口（小入賞口）、３５ａ，３５ｂ…弁部材（移動部材）、４４…作動口。
【図１】
0003541738.tif 000002
【図２】
0003541738.tif 000003
【図３】
0003541738.tif 000004
【図４】
0003541738.tif 000005
【図５】
0003541738.tif 000006
【図６】
0003541738.tif 000007